(57)【要約】マルチキャスト・システムにおいて再送をトリガするための方法であって、基地局ｅＮＢが、チャネル状態表示に基づいて再送条件を設定し、その設定された再送条件をユーザ装置ＵＥに送信するステップと、ＵＥが、誤りブロックを受信するとき、ＵＥの現在のチャネル状態表示を、受信された再送条件と比較し、再送条件が満たされる場合、再送をトリガするためにＮＡＣＫ信号をｅＮＢにフィードバックするステップとを含む方法を開示する。本発明による方法は、ＵＥが誤りブロックを受信したときにＵＥがＮＡＣＫ信号をフィードバックする条件を設定することによってＮＡＣＫ信号のトリガを制限することである。次いで、アップリンク・チャネル上のフィードバック・シグナリングが制限され、再送確率は、Ｒｅｌ  ６  ＨＳＤＰＡにあるような適切な領域で制限され、したがって、最適な効率／電力比が達成される。したがって、ＮＡＣＫ信号の数は、アップリンク過負荷を回避するように制限される。一方、再送確率は、最適な効率／電力比を達成できるように制限される。
2010537518.tif 000002
【特許請求の範囲】
【請求項１】
マルチキャスト・システムにおいて再送をトリガする方法であって、
基地局ｅＮＢが、チャネル状態表示に基づいて再送条件を設定して、前記設定された再送条件をユーザ装置ＵＥに送信するステップと、
誤りブロックを受信するときには、前記ＵＥが、前記ＵＥの現在のチャネル状態表示を前記受信された再送条件と比較し、前記再送条件が満たされるときには、再送をトリガするためにＮＡＣＫ信号を前記ｅＮＢにフィードバックするステップとを含む方法。
【請求項２】
前記再送条件が、第１の閾値と、前記第１の閾値より高い第２の閾値とを含み、前記ＵＥの現在のチャネル状態表示が前記第２の閾値以下であるときには、前記ＵＥが前記ＮＡＣＫ信号を前記ｅＮＢにフィードバックしない、請求項１に記載の方法。
【請求項３】
前記再送条件が、第１の閾値と、前記第１の閾値より高い第２の閾値とを含み、前記ＵＥの現在のチャネル状態表示が前記第１の閾値と前記第２の閾値の間であるときには、
セル内でマルチキャスト・サービスを実際に受信するＵＥの数が知られている場合は、前記ＵＥが、セル内でマルチキャスト・サービスを実際に受信するＵＥの数、前記ＮＡＣＫ信号をフィードバックするために使用できる同時に確立されたアップリンクの最大数、および前記ＵＥの現在のチャネル状態表示に基づいて前記ＮＡＣＫ信号をフィードバックするかどうか決定し、
前記セル内でマルチキャスト・サービスを実際に受信する前記ＵＥの数が知られていない場合は、前記ＵＥが、再送パケットの総統計数、および前記ＵＥの現在のチャネル状態表示に基づいて前記ＮＡＣＫ信号をフィードバックするかどうか決定する、請求項１に記載の方法。
【請求項４】
前記ＵＥが、０と１の間の乱数を生成し、前記生成された乱数を確率値と比較するために、前記セル内でマルチキャスト・サービスを実際に受信する前記ＵＥの数、または再送パケットの総統計数、前記ＮＡＣＫ信号をフィードバックするために使用される同時に確立されたアップリンクの最大数、および前記ＵＥの現在のチャネル状態表示に基づいて前記確率値を取得し、
前記乱数が前記確率値より大きいときには、前記ｅＮＢの再送をトリガするために前記ＵＥが前記ＮＡＣＫ信号を前記ｅＮＢにフィードバックし、そうでないときには、前記ＵＥが前記ＮＡＣＫ信号をフィードバックしない、請求項３に記載の方法。
【請求項５】
前記再送条件が、第１の閾値と、前記第１の閾値より高い第２の閾値とを含み、前記方法はさらに、
前記ＵＥの現在のチャネル状態表示が前記第１の閾値と前記第２の閾値の間にあるときには、ｅＮＢに前記ＵＥの前記現在のチャネル状態表示について知らせるために前記ＵＥが前記ＮＡＣＫ信号を前記ｅＮＢにフィードバックするステップと、
前記ＵＥが、前記受信されたＮＡＣＫ信号および前記チャネル状態表示に基づいて前記第１の閾値および前記第２の閾値を更新し、前記更新された閾値を前記ＵＥに送信するステップと、
前記ＵＥが、前記更新された閾値に基づいて、前記ＮＡＣＫ信号を送信するかどうか決定するステップとをさらに含む、請求項１に記載の方法。
【請求項６】
前記ＮＡＣＫ信号を受信するときには、前記ｅＮＢが、事前設定された確率係数に基づいて誤り送信ブロックを再送するかどうか決定する、請求項５に記載の方法。
【請求項７】
前記ｅＮＢが０と１の間の乱数を生成し、前記ｅＮＢが、前記事前設定された再送確率係数が前記乱数より大きいときには、前記誤り送信ブロックを再送せず、そうでないときには、前記ｅＮＢが前記ＵＥに前記誤り送信ブロックを再送する、請求項６に記載の方法。
【請求項８】
前記チャネル状態表示はＢＥＲ、ＢＬＥＲまたはＳＮＲを含む、請求項１乃至７のいずれか１項に記載の方法。
【請求項９】
前記ｅＮＢが、前記制御チャネルを介して前記ＵＥに前記再送条件を送信する、請求項１乃至７のいずれか１項に記載の方法。
【請求項１０】
チャネル状態表示に基づいて再送条件を設定し、前記設定された再送条件をユーザ装置ＵＥに送信するように適応された、基地局ｅＮＢにおける再送条件設定手段と、
誤りブロックを受信するときには、前記ＵＥの現在のチャネル状態表示を前記受信された再送条件と比較し、前記再送条件が満たされるときには、再送をトリガするために前記ＵＥがＮＡＣＫ信号を前記ｅＮＢにフィードバックするように適応された、前記ＵＥにおける再送比較手段とを含む再送トリガ・システム。
【発明の詳細な説明】
【技術分野】
【０００１】
本発明は、マルチキャスト・システムに関し、特に、マルチキャスト・システムにおいて再送をトリガするための方法、およびそれを使用した装置に関する。
【背景技術】
【０００２】
Ｅ−ＭＢＭＳは、３ＧＰＰ  ＬＴＥにおけるマルチメディア・ブロードキャストおよびマルチキャスト・サービスの進化物である。ＭＢＭＳ伝送は、以下の２つのやり方、マルチセル伝送および単一セル伝送で実施され得る。本発明は、単一セル伝送モードに関する。
【０００３】
単一セル伝送、すなわちマルチポイント伝送に特有のセルの場合、マルチキャスト・サービスのコンテンツは、それぞれのセルにおいて独立している。複数のセルからのＭＢＭＳデータは、同期して送信する必要はない。３ＧＰＰ  ＬＩＥ仕様では、ＭＴＣＨ（ＭＢＭＳ  Ｔｒａｆｆｉｃ  Ｃｈａｎｎｅｌ：ＭＢＭＳトラフィック・チャネル）は、ＤＬ−ＳＣＨ（ダウンリンク同期チャネル）にマッピングされる。
【０００４】
Ｅ−ＵＴＲＮＡでは、ＤＬ−ＳＣＨは主に、個別トラフィック・チャネル（ＤＴＣＨ：ｄｅｄｉｃａｔｅｄ  ｔｒａｆｆｉｃ  ｃｈａｎｎｅｌ）によってマッピングされる。ＵＥユニキャスト・トラフィックのピークレートおよびシステム・スループットを向上させるために、ＤＬ−ＳＣＨは、ＨＡＲＱ（Ｈｙｂｒｉｄ  Ａｕｔｏｍａｔｉｃ  Ｒｅｐｅａｔ  Ｒｅｑｕｅｓｔ：高自動再送要求）、適応変調符号化および送信電力、動的または半静的リソース割当て、ＣＱＩ報告などを使用することを特徴とする。
【０００５】
ＭＴＣＨがＤＬ−ＳＣＨにマッピングされるとき、ＤＬ−ＳＣＨのこの部分は、セル全体でブロードキャストすべきである。セルのエッジで必要なデータレートおよびＢＬＥＲ（Ｂｌｏｃｋ  Ｅｒｒｏｒ  Ｒａｔｉｏ：ブロック誤り率）を提供するために、ＨＡＲＱなど、ＤＬ−ＳＣＨのユニキャスト・トラフィックによって使用されるものと類似の手順が想定される。
【０００６】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ：高速ダウンリンク・パケット・アクセス）に類似して、物理ＨＡＲＱは、より高い伝送性能を達成するために受信機のＢＬＥＲを減少できるが、伝送効率の低下が引き換えとなる。ＨＳＤＰＡ展開の経験から、第１の送信のＢＬＥＲは、最適な性能効率比を達成できる、１０％〜３０％の間である。
【０００７】
しかし、ＨＡＲＱがマルチキャスト・システムに適用される場合、ダウンリンク・マルチキャスト・トラフィックを同時に受信する複数のＵＥが存在するので、原則として１つのＵＥだけが誤りブロックを受信し、ＮＡＣＫ信号を返しており、基地局（ｅＮＢ）は、このデータ・ブロックを再送すべきである。
【０００８】
確率論の観点から述べると、１つのセル内にｎ個のＵＥが位置しており、すべてのＵＥについて、第１の送信で誤り確率がαである場合、少なくとも１つのＵＥが誤りブロックを受信した確率は、１−（１−α）ｎである。ＵＥの数が大きい場合、この確率は非常に高い。したがって、ＮＡＣＫ信号のフィードバックを制限し、またはデータ・ブロックの再送をトリガするための何らかの機構を適用すべきである。
【０００９】
一目標は、第１に、ＢＬＥＲが３０％未満であるＵＥがＮＡＣＫをフィードバックしてよいことを制限し、第２に、ｅＮＢ内の再送の確率、たとえば５０％を制限することである。さらに、ＵＥがあまりに多くのＮＡＣＫをフィードバックする場合、アップリンクは過負荷となる。したがって、ＵＥが誤りブロックを受信するときのＮＡＣＫ信号の数を制限すべきである。
【００１０】
本発明は、マルチキャスト・システムにおいて再送をトリガするための方法にＨＡＲＱを適用することに関し、それは、ＵＥがＮＡＣＫ信号をフィードバックするやり方、およびｅＮＢが再送するやり方とは独立したものである。
【発明の概要】
【課題を解決するための手段】
【００１１】
本発明の一態様によれば、マルチキャスト・システムにおいて再送をトリガするための方法が提供され、この方法は、基地局ｅＮＢが、チャネル状態表示に基づいて再送条件を設定し、その設定された再送条件をユーザ装置ＵＥに送信するステップと、ＵＥが、誤りブロックを受信するとき、ＵＥの現在のチャネル状態表示を、受信された再送条件と比較するステップとを含む。ＵＥは、再送条件が満たされる場合、再送をトリガするためにＮＡＣＫ信号をｅＮＢにフィードバックする。
【００１２】
本発明の別の態様によれば、チャネル状態表示に基づいて再送条件を設定し、その設定された再送条件をユーザ装置ＵＥに送信するように適応された、基地局ｅＮＢにおける再送条件設定手段と、ＵＥが誤りブロックを受信するとき、ＵＥの現在のチャネル状態表示を、受信された再送条件と比較するように適応された、ＵＥにおける再送比較手段とを含む再送トリガ・システムが提供される。ＵＥは、再送条件が満たされる場合、再送をトリガするためにＮＡＣＫ信号をｅＮＢにフィードバックする。
【００１３】
本発明による方法は、ＵＥが誤りブロックを受信したときにＵＥがＮＡＣＫ信号をフィードバックする条件を設定することによってＮＡＣＫ信号のトリガを制限することである。次いで、アップリンク・チャネル上のフィードバック・シグナリングが制限され、再送確率は、Ｒｅｌ  ６  ＨＳＤＰＡにあるような適切な領域で制限される。したがって、最適な効率／電力比が達成される。したがって、ＮＡＣＫ信号の数は、アップリンクの過負荷を回避するように制限される。さらに、再送確率は、最適な効率／電力比が達成されるように制限される。
【図面の簡単な説明】
【００１４】
【図１】一例としてＢＬＥＲを用いて本発明を示す概略図である。
【図２】本発明による閾値の定義を説明する概略図である。
【図３】本発明による再送トリガ方法のフローチャートである。
【図４】本発明による再送トリガ・システムの概略図である。
【発明を実施するための形態】
【００１５】
Ｅ−ＭＢＭＳでは、目標は、セル・エッジを拡張し、またはスループットを増加させることである。ＨＡＲＱでは、主要なポイントは、セル・エッジを拡張し、セル・エッジ内のＢＬＥＲ要件を満たす伝送性能をさらに提供することにある。図１で、ＨＡＲＱがない場合、一例としてカバレッジを７０％として、セル・エッジは、０．０１のＢＬＥＲの立体曲線である。また、９０％を有するカバレッジの境界においては、ＢＬＥＲは、０．３にすぎない。ＨＡＲＱの目標は、セル・エッジを７０％から９０％に拡張し、または９０％のセル・エッジでＢＬＥＲを０．３から０．０１に減少させることである。
【００１６】
セル内のＵＥのいずれかの受信に誤りがある場合に再送が適用されるならば、数十もの加入ＵＥがセル内に存在するという仮定の下、それは１００％の再送を引き起こすことになる。最適な効率／電力比を達成するために、Ｒｅｌ  ６  ＨＳＤＰＡでは、理想的な再送確率は３０％未満である。条件付きで再送をトリガするのにｅＮＢを用いる手法が、下記に明らかになる。
【００１７】
図４は、本発明による再送トリガ装置のブロック図である。図４に示されるように、本発明による再送トリガ・システム４００は、ｅＮＢにおけるフィードバック条件設定手段４０１と、ＵＥにおけるフィードバック条件比較手段４０２とを含む。フィードバック条件設定手段４０１は、静的閾値設定モジュール４０３と、動的閾値設定モジュール４０５と、出力モジュール４０７とを含む。出力モジュール４０７は、静的閾値設定モジュール４０３および動的閾値設定モジュール４０５によって生成された閾値を、制御チャネルを介してフィードバック条件比較手段４０２の受信モジュール４０８に送信する。動的閾値設定モジュール４０５は、静的閾値方式において最適である。フィードバック条件比較手段４０２はさらに、乱数生成モジュール４１０と、閾値比較モジュール４１２と、確率計算モジュール４１４と、ＮＡＣＫフィードバック・モジュール４１６とを含む。ＵＥが誤りブロックを受信するとき、閾値比較モジュール４１２は、ｅＮＢにＮＡＣＫ信号をフィードバックして、それによって再送のトリガを促すかどうか決定するために、受信された閾値をＵＥの現在の瞬間チャネル状態パラメータと比較する。
【００１８】
下記では、本発明による再送トリガ方法について、図１〜４を参照して詳細に述べられる。
【００１９】
まずステップ３０１で、ＵＥが誤りブロックを受信するときにＵＥがＮＡＣＫ信号をフィードバックする条件が設定される。この条件は、２つの閾値、閾値Ａおよび閾値Ｂであってよい。閾値の定義は、
１）物理層のビット誤り率（ＢＥＲ：Ｂｉｔ  Ｅｒｒｏｒ  Ｒａｔｉｏ）であっても、
２）レイヤ２のブロック誤り率（ＢＬＥＲ：Ｂｌｏｃｋ  Ｅｒｒｏｒ  Ｒａｔｉｏ）であってもよい。
【００２０】
ここでは、閾値Ａおよび閾値Ｂは、ｅＮＢによって構成されてよい。図２に示されるように、たとえば、閾値Ａおよび閾値Ｂの実際の意味は、セルのカバレッジの境界に対応し得る。あるいは、閾値は、ＳＮＲおよび類似物など、他のチャネル状態表示を使用して設定してよい。
【００２１】
測定または統計値がＸであると仮定して、Ｘは、それぞれ異なる場合で、ＢＥＲまたはＢＬＥＲであってよい。次いで、詳細なステップは、以下の通りである。
ＵＥが誤りブロックを受信し、ＸがＢＥＲまたはＢＬＥＲと定義される場合、
Ｘ＞Ａの場合は、ＵＥはＮＡＣＫ信号をフィードバックしない、
Ｘ＜Ｂの場合は、ＵＥはＮＡＣＫ信号をフィードバックしない、
Ｘ≦ＡかつＸ≧Ｂの場合は、ＵＥがＮＡＣＫ信号をフィードバックすることが可能。
【００２２】
したがって、図２に示されるように、閾値Ａの外に位置する、ｅＮＢから遠いＵＥ（たとえばＵＥ３）は、ＮＡＣＫ信号をフィードバックする必要はない。同一のチャネル状態にあると仮定して、再送が行われる場合でも、前のブロックを正確に受信する確率は非常に低い。閾値Ａ内に位置する、ｅＮＢの近くのＵＥ（たとえばＵＥ１）もまた、それがＢＬＥＲ要件（１％未満）を満たしているので、ＮＡＣＫ信号をフィードバックする必要はない。閾値Ａと閾値Ｂの間に位置するＵＥ（たとえばＵＥ２）だけが、この領域内のＵＥによって受信された誤りブロックをＨＡＲＱにより修正できるので、ＮＡＣＫ信号をフィードバックすべきである。
【００２３】
閾値をどのように選ぶか、および本発明による方法をどのように実施するかについて、一例としてＢＬＥＲを用いて以下に説明する。
【００２４】
マルチキャスト・サービスを受信するためにセル内に複数のＵＥが存在しており、瞬間ＢＬＥＲがα１、α２、…、αｎであると仮定すると、１つのパケットを送信する間、少なくとも１つのＵＥが誤りブロックを受信した確率は、
【数１】
2010537518.tif 000003
である。一般に、α１≦α２≦…αｎである。
【００２５】
ｅＮＢによって受付け可能なＲＲＣ  ＣＯＮＮＥＣＴＩＯＮのＵＥフィードバックで同時に使用できるアップリンク（スロット）の数がｍである場合、下記の条件を満たすべきである。
【数２】
2010537518.tif 000004
【００２６】
したがって、ＵＥが誤りブロックを受信するときＵＥがＮＡＣＫ信号をフィードバックする条件は、以下になるように設定されてよい。
１）再送確率を５０％未満に制限し、
２）ＵＥによる３０％未満ＮＡＣＫフィードバックを制限し、
３）同時ＮＡＣＫ信号の数を制限する。
【００２７】
すなわち、条件および閾値は、以下のように設定すべきである。
【数３】
2010537518.tif 000005
ただし、ｊ≦ｉ≦ｋである。
【００２８】
ステップ３０２で、上記条件を満たすＵＥは、誤りブロックを受信するとき、ＮＡＣＫ信号をフィードバックしてよい。ここでは、下限が０．１から０．０５に拡張され、ＮＡＣＫ信号をフィードバックしてよい有効ＵＥは、０．０５〜０．３のこの領域にある。５０％および３０％の再送確率は、実際のサービス性能要件、および提供された無線リソースに依存し得る厳密な値ではない。
【００２９】
上記条件に基づいて、本発明では、上記の目標を達成するために２つの手法が提案される。
手法１：静的な閾値であるが、ＵＥ受信機の動的フィードバック確率係数が、ρである。
手法２：動的な閾値であるが、ｅＮＢは、各ＵＥの瞬間ＢＬＥＲを知り、閾値を設定するものとする。
【００３０】
手法１に関して、ｅＮＢは、静的閾値をそれぞれＴｈ＿Ａ＝０．３、Ｔｈ＿Ｂ＝０．０５と設定し、制御チャネルを介してＵＥにそれらを送信する。ＵＥのＮＡＣＫ信号フィードバックについて、確率係数ρが設定される。ＵＥは、誤りブロックを検出すると、確率係数に基づいて、ＨＡＲＱに応答するＮＡＣＫ信号をフィードバックする。確率係数の値は、ＵＥ測定値またはＢＬＥＲに関連して変更してよい。たとえば、ＵＥがｅＮＢに近く、測定ＢＬＥＲが小さい場合は、高い確率係数ρが、確率計算モジュール４１４によって設定される。ＵＥがｅＮＢから遠く、測定ＢＬＥＲが大きい場合は、低い確率係数ρが設定される。詳細なステップは、以下の通りである。
【００３１】
ＵＥが誤りブロックを受信し、ＵＥの瞬間ＢＬＥＲがＴｈ＿Ａより大きく、またはＴｈ＿Ｂより小さい場合は、ＵＥは、ＮＡＣＫ信号をフィードバックしない。ＵＥの瞬間ＢＬＥＲがＴｈ＿ＡとＴｈ＿Ｂの間にある場合は、乱数生成モジュール４１０は、０と１の間の乱数ｘを生成してよく、
ｘ＜ρの場合は、ＵＥは、ＮＡＣＫ信号をフィードバックせず、
ｘ＞ρの場合は、ＵＥは、ＮＡＣＫフィードバック・モジュール４１６によってＮＡＣＫ信号をフィードバックする。
【００３２】
確率係数ρの選び方
一般に、この手法は、セル内にはるかに多くのＵＥが存在するシナリオに適用される。フィードバックによるアップリンクの過負荷を回避するために、ＵＥでも誤りブロックを検出し、それは、確率係数に基づいて、ＨＡＲＱに応答するＮＡＣＫ信号のフィードバックを試みるものとする。ＵＥがＮＡＣＫ信号をフィードバックする確率がρｉであると仮定すると、ｅＮＢが少なくとも１つのＮＡＣＫを受信する確率は、
【数４】
2010537518.tif 000006
である。
【００３３】
ｅＮＢによって受付け可能なＲＲＣ  ＣＯＮＮＥＣＴＩＯＮのＵＥフィードバックで同時に使用できるアップリンク（スロット）の数がｍである場合、下記の条件を満たすべきである。
【数５】
2010537518.tif 000007
【００３４】
再送確率について考慮すると、Ｐは、最小値になると期待される。コーシー不等式に基づいて、α１ρ１＝α２ρ２＝…＝αｎρｎの場合だけ、Ｐについて最小値を得ることができる。
【００３５】
ρｉ≦１の制限によって、フィードバック確率係数ρは、
【数６】
2010537518.tif 000008
となる。
【００３６】
しかし、ＵＥとｅＮＢの両方が、実際にマルチキャスト・サービスを受信するセル内のＵＥの総数、すなわちｎを知らないという問題がある。
【００３７】
こうした問題を解決するために、ρ値の適応漸次選択の方法が提案される。
【００３８】
（１）サービス送信の初めに、ＵＥは、初期値κ、たとえばκ０＝κｉｎｉｔ＝０．０５を設定する。
【００３９】
（２）ｉｔｈＵＥは、κを受信すると、確率計算モジュール４１４によって、以下の等式に従って適切なρｉを計算する。
【数７】
2010537518.tif 000009
ただし、αｉは、ＵＥによって測定された現在のＢＬＥＲである。したがって、ＵＥは、誤りブロックを受信するとき、０と１の間の乱数ｘを生成し、
ｘ＜ρｉの場合は、ＵＥは、ＮＡＣＫ信号をフィードバックせず、
ｘ＞ρｉの場合は、ＵＥは、ＮＡＣＫ信号をフィードバックする。
【００４０】
（３）事前構成された継続時間の間、ＵＥは、総再送パケットの統計値を取り、次いで、κを調整する。
【数８】
2010537518.tif 000010
ただし、Ｄは、継続時間の間に送信されたパケットの数であり、ｄｅｒｒｏｒは、この継続時間の間の総再送パケットのデータであり、λは、調整率（ｒｅｇｕｌａｔｉｏｎ  ｃｏｅｆｆｉｃｉｅｎｔ）であり、λ＞１である。
【００４１】
（４）ＵＥは、ステップ（２）として操作を実施する。
【００４２】
上記問題を解決するための最も単純な別の手法は、固定のρ、たとえばρ＝０．３を採用することである。
【００４３】
手法２
ｅＮＢの閾値設定モジュール４０５は、動的閾値をそれぞれＴｈ＿ＡおよびＴｈ＿Ｂと設定し、制御チャネルを介してＵＥにそれらを送信する。
【００４４】
ｅＮＢが各ＵＥの瞬間ＢＬＥＲを知っているので、この手法では、ＵＥは、ＮＡＣＫ信号をフィードバックするだけでなく、アップリンクで同時にＢＬＥＲをもフィードバックする。本発明による動的閾値方式は、以下のように提案される。
【００４５】
（１）ｅＮＢは、初期閾値をそれぞれＴｈ＿Ａ＝０．３およびＴｈ＿Ｂ＝０．０５と設定し、制御チャネルを介してＵＥにそれらを送信する。
【００４６】
（２）ＵＥが誤りブロックを受信し、ＵＥの瞬間ＢＬＥＲがＴｈ＿Ａより大きく、またはＴｈ＿Ｂより小さい場合は、ＵＥは、ＮＡＣＫ信号をフィードバックしない。ＵＥの瞬間ＢＬＥＲがＴｈ＿ＡとＴｈ＿Ｂの間にある場合は、ＵＥは、ＮＡＣＫ信号を以下の形式でフィードバックする。
【数９】
2010537518.tif 000011
【００４７】
（３）事前構成された継続時間の間、ｅＮＢは、ＵＥからのすべてのＢＬＥＲフィードバックの統計値α１、α２、…、αｌを取り、次いで、以下の等式に基づいて、Ｔｈ＿ＡおよびＴｈ＿Ｂを調整する。
【数１０】
2010537518.tif 000012
ただし、λは、調整率であり、λ＞１である。
【００４８】
（４）動的閾値は、ｅＮＢの再送の確率を制限することができない。したがって、ｅＮＢの再送確率係数ｑが設定されてよく、たとえばｑ＝５０％である。ｅＮＢは、確率係数に基づいて、誤り送信ブロックの再送を試みてよい。
【００４９】
ｅＮＢは、ＮＡＣＫ信号を受信するとき、０と１の間の乱数ｘを生成し、
ｘ＜ｑの場合は、ｅＮＢは、誤り送信ブロックを再送し、
ｘ＞ｑの場合は、ｅＮＢは、誤り送信ブロックを再送しない。
【００５０】
本発明は、ＨＡＲＱのためにマルチキャスト・システム内でＮＡＣＫをトリガし、再送を実施するための方法を提案する。ＨＡＲＱがマルチキャスト・システムに導入され、条件再送機構が使用されるので、より高い伝送性能および効率を達成できる。
【００５１】
本発明は、ＵＥが誤りブロックを受信するときＵＥがＮＡＣＫをフィードバックする条件を設定することによってＮＡＣＫ信号のトリガを制限できる。次いで、アップリンク・チャネル上のフィードバック・シグナリングが制限され、再送確率は、Ｒｅｌ  ６  ＨＳＤＰＡにあるような適切な領域で制限され、したがって、最適な効率／電力比が達成される。したがって、アップリンク過負荷は、ＮＡＣＫ信号の数が制限されるので、回避することができる。さらに、再送確率が制限されるので、最適な効率／電力比を達成することができる。
【図１】
2010537518.tif 000013
【図２】
2010537518.tif 000014
【図３】
2010537518.tif 000015
【図４】
2010537518.tif 000016
【国際調査報告】
2010537518.tif 000017
2010537518.tif 000018
2010537518.tif 000019
2010537518.tif 000020
2010537518.tif 000021
2010537518.tif 000022